(57)【要約】【課題】１つのスイッチで複数のカバー開閉等の複数入力（外力）に対応できると同時にスイッチの破損のおそれもなくす。【解決手段】作動子２１がＯＮ／ＯＦＦ方向に移動することで，インターロック機構の取り付け対象である装置への供給電源をＯＮ／ＯＦＦするスイッチ２０と，スイッチ２０の作動子２１に連動部材２２を介して作動子２１をＯＮ方向へ移動させてスイッチをＯＮするＯＮ位置と，スイッチ２０をＯＦＦさせるＯＦＦ位置とをとる作動部材３０と，作動部材３０に直接当接しまたは直接連動していることで作動部材３０をＯＮ位置またはＯＦＦ位置へと移動させる複数の移動部材であって，全ての移動部材が作動部材３０をＯＮ位置に向けて移動させたときに作動部材３０をＯＮ位置に位置させる移動部材４０，５０とを備え，複数の移動部材４０，５０の，スイッチ２０をＯＮさせる際の移動方向が，全て，スイッチの作動子２１のＯＮ方向以外となっている。【選択図】図１
2008037054.tif 000002
【特許請求の範囲】
【請求項１】
作動子がＯＮ／ＯＦＦ方向に移動することで，インターロック機構の取り付け対象である装置への供給電源をＯＮ／ＯＦＦするスイッチと，
このスイッチの前記作動子に当接しまたは連動部材を介して該作動子をＯＮ方向へ移動させてスイッチをＯＮするＯＮ位置と，前記スイッチをＯＦＦさせるＯＦＦ位置とをとる作動部材と，
この作動部材に直接当接しまたは直接連動していることで該作動部材を前記ＯＮ位置またはＯＦＦ位置へと移動させる複数の移動部材であって，全ての移動部材が前記作動部材を前記ＯＮ位置に向けて移動させたときに該作動部材を前記ＯＮ位置に位置させる移動部材とを備え，
前記複数の移動部材の，前記スイッチをＯＮさせる際の移動方向が，全て，前記スイッチの作動子のＯＮ方向以外となっていることを特徴とするインターロック機構。
【請求項２】
作動子がＯＮ／ＯＦＦ方向に移動することで，インターロック機構の取り付け対象である装置への供給電源をＯＮ／ＯＦＦするスイッチと，
このスイッチの前記作動子に当接しまたは連動部材を介して該作動子をＯＮ方向へ移動させてスイッチをＯＮするＯＮ位置と，前記スイッチをＯＦＦさせるＯＦＦ位置とをとる作動部材と，
この作動部材に直接当接しまたは直接連動していることで該作動部材を前記ＯＮ位置またはＯＦＦ位置へと移動させる複数の移動部材であって，全ての移動部材が前記作動部材を前記ＯＮ位置に向けて移動させたときに該作動部材を前記ＯＮ位置に位置させる移動部材とを備え，
前記作動部材は，前記作動子をＯＮ／ＯＦＦ方向へ移動させることが可能なカム部を有しかつ前記ＯＮ／ＯＦＦ方向と直交方向へ移動可能かつ前記ＯＮ／ＯＦＦ方向へ移動可能な作動部材であり，
前記複数の移動部材は，前記作動部材を前記ＯＮ／ＯＦＦ方向と直交方向へ移動させる第１移動部材と，前記ＯＮ／ＯＦＦ方向と直交方向へ移動することで前記作動部材に当接して当該作動部材を前記ＯＮ／ＯＦＦ方向へ移動させる第２移動部材であることを特徴とするインターロック機構。
【請求項３】
前記第１移動部材は，２段階で移動し，２段階目の移動により，前記作動部材のカム部が前記作動子をＯＮ方向へ移動させることが可能となることを特徴とする請求項２記載のインターロック機構。
【請求項４】
前記第１移動部材はレバー状の部材であり，このレバー状部材の中間部に前記作動部材が回動可能に連結され，前記レバー状部材の一端部の移動が１段階目の移動であり，当該１段目の移動後の前記レバー状部材の他端部の移動が前記２段階目の移動であることを特徴とする請求項３記載のインターロック機構。
【請求項５】
前記第２移動部材は，２段階で移動し，２段階目の移動により，前記作動部材のカム部が前記作動子をＯＮ方向へ移動させることが可能となることを特徴とする請求項２〜４のうちいずれか１項に記載のインターロック機構。
【請求項６】
前記第２移動部材はレバー状部材の中間部に回動可能に連結された，前記作動部材と当接可能なカム付の部材であり，前記レバー状部材の一端部の移動によって１段階目の移動をし，当該１段目の移動後の前記レバー状部材の他端部の移動によって前記２段階目の移動をして前記カムが，前記作動部材のカム部による前記作動子を介したスイッチのＯＮ／ＯＦＦを可能とすることを特徴とする請求項５記載のインターロック機構。
【請求項７】
作動子がＯＮ／ＯＦＦ方向に移動することで，インターロック機構の取り付け対象である装置への供給電源をＯＮ／ＯＦＦするスイッチと，
このスイッチの前記作動子に当接しまたは連動部材を介して該作動子をＯＮ方向へ移動させてスイッチをＯＮするＯＮ位置と，前記スイッチをＯＦＦさせるＯＦＦ位置とをとるカム部を有する作動部材と，
この作動部材に連動していることで該作動部材を前記ＯＮ位置またはＯＦＦ位置へと移動させる移動部材とを備え，
前記移動部材はレバー状の部材であり，このレバー状部材の中間部に前記作動部材が回動可能に連結され，前記レバー状部材の一端部と他端部とがともに前記作動部材をＯＮ位置に移動させる方向へ移動したときに前記作動部材がＯＮ位置に位置することを特徴とするインターロック機構。
【請求項８】
画像形成装置のケースにおける複数の面を，それぞれ開閉可能なカバーで構成するとともに，画像形成装置内に，
作動子がＯＮ／ＯＦＦ方向に移動することで，画像形成装置への供給電源をＯＮ／ＯＦＦするスイッチと，
このスイッチの前記作動子に当接しまたは連動部材を介して該作動子をＯＮ方向へ移動させてスイッチをＯＮするＯＮ位置と，前記スイッチをＯＦＦさせるＯＦＦ位置とをとる作動部材と，
この作動部材に直接当接しまたは直接連動していることで該作動部材を前記ＯＮ位置またはＯＦＦ位置へと移動させる複数の移動部材であって，全ての移動部材が前記作動部材を前記ＯＮ位置に向けて移動させたときに該作動部材を前記ＯＮ位置に位置させる移動部材とを備え，
前記複数の移動部材の，前記スイッチをＯＮさせる際の移動方向が，全て，前記スイッチの作動子のＯＮ方向以外となっているインターロック機構を設け，
前記複数の移動部材を，前記開閉可能なカバーに設けた突起で構成し，または開閉カバーの開閉と連動させたことを特徴とする画像形成装置。
【請求項９】
画像形成装置のケースにおける複数の面を，それぞれ開閉可能なカバーで構成するとともに，画像形成装置内に，
作動子がＯＮ／ＯＦＦ方向に移動することで，インターロック機構の取り付け対象である装置への供給電源をＯＮ／ＯＦＦするスイッチと，
このスイッチの前記作動子に当接しまたは連動部材を介して該作動子をＯＮ方向へ移動させてスイッチをＯＮするＯＮ位置と，前記スイッチをＯＦＦさせるＯＦＦ位置とをとる作動部材と，
この作動部材に直接当接しまたは直接連動していることで該作動部材を前記ＯＮ位置またはＯＦＦ位置へと移動させる複数の移動部材であって，全ての移動部材が前記作動部材を前記ＯＮ位置に向けて移動させたときに該作動部材を前記ＯＮ位置に位置させる移動部材とを備え，
前記作動部材は，前記作動子をＯＮ／ＯＦＦ方向へ移動させることが可能なカム部を有しかつ前記ＯＮ／ＯＦＦ方向と直交方向へ移動可能かつ前記ＯＮ／ＯＦＦ方向へ移動可能な作動部材であり，
前記複数の移動部材は，前記作動部材を前記ＯＮ／ＯＦＦ方向と直交方向へ移動させる第１移動部材と，前記ＯＮ／ＯＦＦ方向と直交方向へ移動することで前記作動部材に当接して当該作動部材を前記ＯＮ／ＯＦＦ方向へ移動させる第２移動部材であるインターロック機構を設け，
前記複数の移動部材を，前記開閉可能なカバーに設けた突起で構成し，または開閉カバーの開閉と連動させたことを特徴とする画像形成装置。
【請求項１０】
前記第１移動部材は，２段階で移動し，２段階目の移動により，前記作動部材のカム部が前記作動子をＯＮ方向へ移動させることが可能となる移動部材であり，
画像形成装置のケースにおける異なるカバーの開閉を前記第１移動部材における１段階目の移動と２段階目の移動にそれぞれ連動させたことを特徴とする請求項９記載の画像形成装置。
【請求項１１】
前記第１移動部材はレバー状の部材であり，このレバー状部材の中間部に前記作動部材が回動可能に連結され，前記レバー状部材の一端部の移動が１段階目の移動であり，当該１段目の移動後の前記レバー状部材の他端部の移動が前記２段階目の移動であることを特徴とする請求項１０記載の画像形成装置。
【請求項１２】
前記第２移動部材は，２段階で移動し，２段階目の移動により，前記作動部材のカム部が前記作動子をＯＮ方向へ移動させることが可能となる移動部材であり，
画像形成装置のケースにおける異なるカバーの開閉を前記第２移動部材における１段階目の移動と２段階目の移動にそれぞれ連動させたことを特徴とする請求項９〜１１のうちいずれか１項に記載の画像形成装置。
【請求項１３】
前記インターロック機構は，前記第２移動部材がレバー状部材の中間部に回動可能に連結された前記作動部材と当接可能なカム付の部材であり，前記レバー状部材の一端部の移動によって１段階目の移動をし，当該１段目の移動後の前記レバー状部材の他端部の移動によって前記２段階目の移動をして前記カムが，前記作動部材のカム部による前記作動子を介したスイッチのＯＮ／ＯＦＦを可能とするインターロック機構であり，
画像形成装置のケースにおける異なるカバーの開閉を前記レバー状部材の両端部にそれぞれ連動させたことを特徴とする請求項１２に記載の画像形成装置。
【請求項１４】
画像形成装置のケースにおける複数の面を，それぞれ開閉可能なカバーで構成するとともに，画像形成装置内に，
作動子がＯＮ／ＯＦＦ方向に移動することで，インターロック機構の取り付け対象である装置への供給電源をＯＮ／ＯＦＦするスイッチと，
このスイッチの前記作動子に当接しまたは連動部材を介して該作動子をＯＮ方向へ移動させてスイッチをＯＮするＯＮ位置と，前記スイッチをＯＦＦさせるＯＦＦ位置とをとるカム部を有する作動部材と，
この作動部材に連動していることで該作動部材を前記ＯＮ位置またはＯＦＦ位置へと移動させる移動部材とを備え，
前記移動部材はレバー状の部材であり，このレバー状部材の中間部に前記作動部材が回動可能に連結され，前記レバー状部材の一端部と他端部とがともに前記作動部材をＯＮ位置に移動させる方向へ移動したときに前記作動部材がＯＮ位置に位置するインターロック機構を設け，
前記移動部材の一端部と他端部とを，前記開閉可能なカバーの開閉と連動させたことを特徴とする画像形成装置。
【発明の詳細な説明】
【技術分野】
【０００１】
本発明は，インターロック機構およびこれを用いた画像形成装置に関する。主として，用紙等のシート（以下単に用紙または紙ともいう）に画像（文字等を含む）を形成するプリンター，ファクシミリ，複写機等の画像形成装置におけるカバー開閉技術に関するものである。
【背景技術】
【０００２】
一般に，用紙に画像を形成する画像形成装置においては，その紙搬送経路中において，しばしば紙詰まりが生じる。また，装置内に組み込まれたユニットを着脱する必要もある。
詰まった紙を除去することができるように，あるいは上記ユニットを着脱できるように，通常，装置のケースにはカバーが設けられている。
詰まった紙を容易に除去することができるように，また，上記ユニットを容易に着脱できるようにするには，装置ケースにおける複数の面（少なくとも２面，望ましくは３面）を，それぞれ開閉可能なカバーで構成することが望まれる。
一方，カバーの開閉時には，インターロック機構により装置の供給電源をカットする（インターロック用のスイッチをＯＦＦにする）必要があるが，複数のカバーを開閉可能に構成した場合に，供給電源をカットするスイッチをそれぞれのカバーに設けると，スイッチの数が多くなってしまう。
【０００３】
そこで従来，スイッチの数を少なくすることができるインターロック機構およびこれを用いた画像形成装置が提案されている（例えば特許文献１，２）。
これら従来のインターロック機構ないし画像形成装置は，画像形成装置のケースにおける複数の面を，それぞれ開閉可能なカバーで構成するとともに，画像形成装置内に，
作動子がＯＮ／ＯＦＦ方向に移動することで，画像形成装置への供給電源をＯＮ／ＯＦＦするスイッチと，
このスイッチの前記作動子に当接しまたは連動部材を介して該作動子をＯＮ方向へ移動させてスイッチをＯＮするＯＮ位置と，前記スイッチをＯＦＦさせるＯＦＦ位置とをとる作動部材と，
この作動部材に直接当接しまたは直接連動していることで該作動部材を前記ＯＮ位置またはＯＦＦ位置へと移動させる複数の移動部材であって，全ての移動部材が前記作動部材を前記ＯＮ位置に向けて移動させたときに該作動部材を前記ＯＮ位置に位置させる移動部材とを備え，
前記複数の移動部材を，前記開閉可能なカバーに設けた突起で構成し，または開閉カバーの開閉と連動させた構成となっている。
【特許文献１】特開２００１−１５２７２４号公報
【特許文献１】特開２００３−２８７９８７号公報
【発明の開示】
【発明が解決しようとする課題】
【０００４】
上述した従来のインターロック機構ないし画像形成装置では，前記複数の移動部材のうちの１つの移動部材の移動方向が，前記スイッチの作動子のＯＮ方向となっていた。
このため，その移動部材（移動方向がスイッチの作動子のＯＮ方向となっている移動部材）に連動している開閉カバーに想定以上の力が作用すると，その想定以上の力がスイッチの作動子のＯＮ方向に作用してスイッチが破損し，結果として，インターロック機構が機能しなくなるおそれがあった。
例えば，上記特許文献１の図４において，カバー（５０）に想定以上の力が作用すると，その想定以上の力がスイッチ（７０）の作動子のＯＮ方向に作用し，スイッチ（７０）が破損するおそれがある。なお，この特許文献１記載のものは，２つの開閉カバー（５０）（６０）にしか対応できず，しかも２つのカバーの開閉順が規制されているという難点も有している（００１７段落）。
また，例えば上記特許文献２の図１１において，カバー（７０）に想定以上の力が作用すると，その想定以上の力がスイッチ（１０１）の作動子のＯＮ方向に作用し，スイッチ（１０１）が破損するおそれがある。
本発明の目的は，以上のような問題を解決し，１つのスイッチで複数のカバー開閉等の複数入力（外力）に対応できると同時に，スイッチの破損のおそれもないインターロック機構およびこれを用いた画像形成装置を提供することにある。
【課題を解決するための手段】
【０００５】
上記目的を達成するために本発明のインターロック機構は，作動子がＯＮ／ＯＦＦ方向に移動することで，インターロック機構の取り付け対象である装置への供給電源をＯＮ／ＯＦＦするスイッチと，
このスイッチの前記作動子に当接しまたは連動部材を介して該作動子をＯＮ方向へ移動させてスイッチをＯＮするＯＮ位置と，前記スイッチをＯＦＦさせるＯＦＦ位置とをとる作動部材と，
この作動部材に直接当接しまたは直接連動していることで該作動部材を前記ＯＮ位置またはＯＦＦ位置へと移動させる複数の移動部材であって，全ての移動部材が前記作動部材を前記ＯＮ位置に向けて移動させたときに該作動部材を前記ＯＮ位置に位置させる移動部材とを備え，
前記複数の移動部材の，前記スイッチをＯＮさせる際の移動方向が，全て，前記スイッチの作動子のＯＮ方向以外となっていることを特徴とする。
また，本発明の画像形成装置は，画像形成装置のケースにおける複数の面を，それぞれ開閉可能なカバーで構成するとともに，画像形成装置内に，上記インターロック機構を設け，前記複数の移動部材を，前記開閉可能なカバーに設けた突起で構成し，または開閉カバーの開閉と連動させたことを特徴とする。
このような構成によれば，複数の移動部材全てが，作動部材を前記ＯＮ位置に向けて移動させる方向へ移動したときに該作動部材が前記ＯＮ位置に位置し，スイッチの作動子がＯＮ方向へと移動してスイッチがＯＮし，このインターロック機構の取り付け対象である装置への供給電源がＯＮし，逆に，複数の移動部材のうちの１つでも作動部材をＯＦＦ位置に向けて移動させる方向へ移動したときにはスイッチがＯＦＦしてこのインターロック機構の取り付け対象である装置への供給電源がＯＦＦすることとなる。
そして，前記複数の移動部材の，前記スイッチをＯＮさせる際の移動方向は，全て，前記スイッチの作動子のＯＮ方向以外となっているので，移動部材を移動させる外力（例えばカバーの開閉による外力）として想定以上の力が作用したとしても，その想定以上の力はスイッチの作動子のＯＮ方向へは作用しない。
したがって，スイッチが破損するおそれがなくなる。
以上のようにこの発明によれば，１つのスイッチで複数のカバー開閉等の複数入力（外力）に対応できると同時に，スイッチの破損のおそれもなくなる。
結果として，信頼性の高いインターロック機構を提供することができる。
【０００６】
前記作動部材を，前記作動子をＯＮ／ＯＦＦ方向へ移動させることが可能なカム部を有しかつ前記ＯＮ／ＯＦＦ方向と直交方向へ移動可能かつ前記ＯＮ／ＯＦＦ方向へ移動可能な作動部材で構成し，前記複数の移動部材は，前記作動部材を前記ＯＮ／ＯＦＦ方向と直交方向へ移動させる第１移動部材と，前記ＯＮ／ＯＦＦ方向と直交方向へ移動することで前記作動部材に当接して当該作動部材を前記ＯＮ／ＯＦＦ方向へ移動させる第２移動部材で構成することで，２入力（例えば２つのカバーの開閉）に対応したインターロック機構ないし画像形成装置を得ることができる。
【０００７】
また，前記第１移動部材を，２段階で移動する構成とし，２段階目の移動により，前記作動部材のカム部が前記作動子をＯＮ方向へ移動させることが可能となる構成とすることで，３入力（例えば３つのカバーの開閉）に対応したインターロック機構ないし画像形成装置を得ることができる。
前記第１移動部材はレバー状の部材とし，このレバー状部材の中間部に前記作動部材を回動可能に連結し，前記レバー状部材の一端部の移動を１段階目の移動とし，当該１段目の移動後の前記レバー状部材の他端部の移動を前記２段階目の移動とすることで，作動の確実性および円滑性を向上させることが可能となる。
【０００８】
また，前記第２移動部材を，２段階で移動させ，２段階目の移動により，前記作動部材のカム部が前記作動子をＯＮ方向へ移動させることが可能となる構成とすることで，３入力（例えば３つのカバーの開閉）または４入力（例えば４つのカバーの開閉）に対応したインターロック機構ないし画像形成装置を得ることができる。
前記第２移動部材はレバー状部材の中間部に回動可能に連結された前記作動部材と当接可能なカム付の部材とし，前記レバー状部材の一端部の移動によって１段階目の移動をさせ，当該１段目の移動後の前記レバー状部材の他端部の移動によって前記２段階目の移動をさせて前記カムを，前記作動部材のカム部による前記作動子を介したスイッチのＯＮ／ＯＦＦを可能とする位置に位置させる構成とすることで，作動の確実性および円滑性を向上させることが可能となる。
【０００９】
すなわち，移動部材をレバー状の部材とし，このレバー状部材の中間部に作動部材を回動可能に連結し，前記レバー状部材の一端部と他端部とがともに前記作動部材をＯＮ位置に移動させる方向へ移動したときに前記作動部材がＯＮ位置に位置する構成とすることで，作動の確実性および円滑性を向上させることが可能となる。
【発明を実施するための最良の形態】
【００１０】
以下，本発明に係るインターロック機構およびこれを用いた画像形成装置の実施の形態について図面を参照して説明する。
図１は，本発明に係るインターロック機構の一実施の形態を示す部分省略斜視図である。
図２は該インターロック機構を組み込んだ画像形成装置の一実施の形態を示す図で，（ａ）はカバーを閉じた状態の斜視図，（ｂ）はカバーを開けた状態の斜視図，（ｃ）はカバーとフレームとの関係を示す斜視図，（ｄ）はフレームを省略してインターロック機構と開かれたカバーとの関係を示す斜視図，（ｅ）はフレームを省略してインターロック機構と閉じられたカバーとの関係を示す斜視図である。
図３（ｃ１），（ｃ２）は図２（ｃ）の平面図と正面図，（ｄ１），（ｄ２）は図２（ｄ）の平面図と正面図，（ｅ１），（ｅ２）は図２（ｅ）の平面図と正面図である。
図４は画像形成装置のフレームへのインターロック機構の組み込み状態を示す分解斜視図である。
図５（ａ）〜（ｄ）は作動説明図である。
【００１１】
図１（および図５）に示すように，このインターロック機構１０は，作動子２１がＯＮ／ＯＦＦ方向（図５において矢印Ｘ１，Ｘ２方向）に移動することで，インターロック機構の取り付け対象である装置（この場合画像形成装置）への供給電源をＯＮ／ＯＦＦするスイッチ２０と，
このスイッチ２０の前記作動子２１を，連動部材２２を介してＯＮ方向（矢印Ｘ１方向）へ移動させてスイッチ２０をＯＮするＯＮ位置（図５（ｄ）参照）と，前記スイッチ２０をＯＦＦさせるＯＦＦ位置（図５（ａ）（ｂ）（ｃ）参照）とをとる作動部材３０と，
この作動部材３０に直接当接しまたは直接連動していることで該作動部材３０を前記ＯＮ位置またはＯＦＦ位置へと移動させる複数の移動部材４０，５０であって，全ての移動部材４０，５０が前記作動部材３０を前記ＯＮ位置に向けて移動させたときに該作動部材３０を前記ＯＮ位置に位置させる移動部材４０，５０とを備え，
前記複数の移動部材４０，５０の，前記スイッチ２０をＯＮさせる際の移動方向が，全て，前記スイッチ２０の作動子２１のＯＮ方向（矢印Ｘ１方向）以外となっている。
なお，作動部材３０は連動部材２２を介することなく作動子２１に直接当接して該作動子２１をＯＮ／ＯＦＦさせるように構成することもできる。
【００１２】
図４に示すように，このインターロック機構１０は，第１ホルダー１１と第２ホルダー１２とを有しており，スイッチ２０は，第１ホルダー１１に取り付けられている。なお，このインターロック機構１０を画像形成装置の後述するフレームＦに取り付けない場合，第１ホルダー１１と第２ホルダー１２は一体に構成することもできる。
スイッチ２０は，その作動子２１（図５（ａ）参照）がスイッチ２０に内蔵されたバネにより常時Ｘ２方向（ＯＦＦ方向）へ突出しているが，外力により作動子２１がＸ１方向（ＯＮ方向）へ押し込まれると内部にある接点同士が当接してＯＮする構成である。
【００１３】
図１，図４，および図５に示すように，作動部材３０は，スイッチ２０の作動子２１をＯＮ／ＯＦＦ方向（矢印Ｘ１，Ｘ２方向）へ移動させることが可能なカム部３１を有しかつ前記ＯＮ／ＯＦＦ方向と直交方向（矢印Ｙ１，Ｙ２方向）へ移動可能かつ前記ＯＮ／ＯＦＦ方向へ移動可能な作動部材である。
作動部材３０は，軸部３２とこの軸部３２に一体的に垂下された前記カム部３１とを有する振り子状の作動部材であり，軸部３２の両端が，第２ホルダー１２に設けられた縦方向（矢印Ｙ１，Ｙ２方向に伸びる）ガイド溝１２ａと，このガイド溝１２ａに対向して第１ホルダー１１に設けられたガイド溝１１ａ（図４参照）に案内されることで矢印Ｙ１，Ｙ２方向へ移動可能となっており，かつ軸部３２を中心として揺動可能（カム部３１が矢印Ｘ１，Ｘ２方向へ移動可能）となっている。図４に示すように，第１ホルダー１１側のガイド溝１１ａは第１ホルダー１１における凸部前板の背面側に形成されている。
作動部材３０の下端と第１ホルダー１１と間には引っ張りバネ１３が設けられており，この引っ張りバネ１３の作用で，作動部材３０は常時Ｙ２方向かつＸ２方向へ付勢されているが，移動部材４０，５０の後述する作動でＹ１方向へ移動可能であり，またＸ１方向へも移動可能である。
【００１４】
移動部材４０は，作動部材３０を前記ＯＮ／ＯＦＦ方向と直交方向（Ｙ１，Ｙ２方向）へ移動させる第１移動部材であり，カム部４１を有するスライダで構成されている。
移動部材４０の背面には図示しない２本のピンが設けられており，それらのピンが，第２ホルダー１２に設けられたガイド溝１２ｂで案内されることで，第２ホルダー１２に対しＸ１，Ｘ２方向ヘスライド可能に取り付けられている。
移動部材４０と第２ホルダー１２との間には引っ張りバネ１４が設けられており，この引っ張りバネ１４の作用で，移動部材４０は常時Ｘ１方向へ付勢されているが，Ｘ２方向への外力が作用することでＸ２方向へ移動し，Ｘ２方向へ移動したときカム部４１が作動部材３０の軸部３２を持ち上げるようにして作動部材３０をＹ１方向へ移動させる。
この実施の形態では，後述するように画像形成装置のカバーが閉じられると，そのカバーに設けた突起が移動部材４０に当接して移動部材４０をＸ２方向へスライドさせる。
【００１５】
移動部材５０（図１，図５参照）は，スイッチ２０のＯＮ／ＯＦＦ方向（Ｘ１，Ｘ２方向）と直交方向（Ｚ１，Ｚ１方向）へ移動することで作動部材３０に当接して当該作動部材３０を前記ＯＮ／ＯＦＦ方向へ移動させる第２移動部材であり，この実施の形態では，後述するように画像形成装置のカバー２に設けたカム状突起で構成されている。そのカバー２が閉じられて移動部材５０がＺ１方向に移動すると，移動部材５０が作動部材３０に当接して作動部材３０をＸ１方向へ移動（揺動）させ，カバー２が開けられて移動部材５０がＺ２方向に移動すると，上記引っ張りバネ１３の作用で作動部材３０はＸ２方向へ移動する（揺動する）。
【００１６】
図２，図３に示すように，この実施の形態の画像形成装置は，そのケースにおける２つの面を，それぞれ開閉可能なカバー１，カバー２で構成するとともに，画像形成装置内におけるフレームＦに対し，カバー１とカバー２との間に位置する部位に，前記インターロック機構１０を設け，前記移動部材４０を，開閉可能なカバー１の開閉と連動させ，移動部材５０をカバー２に設けた突起で構成してある。
すなわち，カバー１には突起１ａが設けてあり，図２（ａ）（ｅ）および図３（ｅ１）（ｅ２）に示すようにカバー１が閉じられると，図５（ｃ）または（ｄ）に示すように突起１ａが移動部材４０を矢印Ｘ２方向へスライドさせる。また，カバー２の突起は移動部材５０を構成しており，図２（ａ）（ｅ）および図３（ｅ１）（ｅ２）に示すようにカバー２が閉じられると，図５（ｂ）または（ｄ）に示すように突起（移動部材）５０がＺ１方向（図１参照）へ移動して作動部材３０をＸ１方向へ移動（揺動）させる。
【００１７】
以上のようなインターロック機構１０ないし画像形成装置は次のように作動する。
図５（ａ）に示すように，インターロック機構１０に外部からの力が入力されない状態（図２（ｂ）に示すようにカバー１，２が開かれた状態）では，移動部材４０は引っ張りバネ１４の作用でＸ１方向へ移動した状態であり，作動部材３０はＹ２方向へ移動した状態となっている。スイッチ２０の作動子２１はＸ２方向へ突出していてスイッチ２０はＯＦＦ状態となっている。したがって，このインターロック機構１０が装着された装置（この場合画像形成装置）に電源は供給されない。
【００１８】
図５（ｂ）に示すように，インターロック機構１０に外部から移動部材５０のみが作動（入力）した状態（カバー２のみが閉じられた状態）では，移動部材５０のカム形状で押された分だけ作動部材３０はＸ１方向へ移動する。しかし，移動部材４０は引っ張りバネ１４の作用でＸ１方向へ移動した状態のままであり，作動部材３０はＹ２方向へ移動した状態のままとなっていて，スイッチ２０の作動子２１をＸ１方向（ＯＮ方向）へは移動させないので，スイッチ２０はＯＦＦ状態のままである。したがって，このインターロック機構１０が装着された装置（この場合画像形成装置）に電源は供給されない。
【００１９】
図５（ｃ）に示すように，インターロック機構１０に外部から移動部材４０のみを作動させる外力のみが入力された状態（カバー１のみが閉じられて突起１ａのみが入力された状態）では，移動部材４０のカム形状で持ち上げられた分だけ作動部材３０はＹ１方向へ移動する。しかし，移動部材５０が作動していないために，作動部材３０はＸ２方向へ移動した状態のままとなっていて，スイッチ２０の作動子２１をＸ１方向（ＯＮ方向）へは移動させないので，スイッチ２０はＯＦＦ状態のままである。したがって，このインターロック機構１０が装着された装置（この場合画像形成装置）に電源は供給されない。
【００２０】
図５（ｄ）に示すように，インターロック機構１０に外部から移動部材４０を作動させる外力と移動部材５０とがともに作動する（カバー１とカバー２とがともに閉じられる）と，移動部材４０のカム形状で持ち上げられた分だけ作動部材３０がＹ１方向へ移動し，かつ，移動部材５０のカム形状で押された分だけ作動部材３０がＸ１方向へ移動する。このため，スイッチ２０の作動子２１が連動部材２２を介してＸ１方向（ＯＮ方向）へ押されてスイッチ２０がＯＮする。したがって，このインターロック機構１０が装着された装置（この場合画像形成装置）に電源が供給される。
【００２１】
以上のように，この実施の形態のインターロック機構１０は，作動子２１がＯＮ／ＯＦＦ方向に移動することで，インターロック機構１０の取り付け対象である装置への供給電源をＯＮ／ＯＦＦするスイッチ２０と，
このスイッチ２０の前記作動子２１に当接しまたは連動部材２２を介して該作動子２１をＯＮ方向へ移動させてスイッチ２０をＯＮするＯＮ位置（図５（ｄ）参照）と，前記スイッチ２０をＯＦＦさせるＯＦＦ位置（５（ａ）（ｂ）（ｃ）参照）とをとる作動部材３０と，
この作動部材３０に直接当接しまたは直接連動していることで該作動部材３０を前記ＯＮ位置またはＯＦＦ位置へと移動させる複数の移動部材４０，５０であって，全ての移動部材４０，５０が前記作動部材３０を前記ＯＮ位置に向けて移動させたときに該作動部材３０を前記ＯＮ位置に位置させる移動部材４０，５０とを備え，
前記複数の移動部材４０，５０の，前記スイッチ２０をＯＮさせる際の移動方向が，全て，前記スイッチの作動子のＯＮ方向以外となっており，
また，この実施の形態の画像形成装置は，画像形成装置のケースにおける複数の面を，それぞれ開閉可能なカバー１，２で構成するとともに，画像形成装置内に，上記インターロック機構１０を設け，前記複数の移動部材４０，５０を，前記開閉可能なカバー１，２に設けた突起で構成し，または開閉カバーの開閉と連動させてあるので，
このような構成によれば，複数の移動部材４０，５０全てが，作動部材３０を前記ＯＮ位置に向けて移動させる方向へ移動したときに該作動部材３０が前記ＯＮ位置に位置し（図５（ｄ）参照），スイッチ２０の作動子２１がＯＮ方向へと移動してスイッチ２０がＯＮし，このインターロック機構１０の取り付け対象である装置への供給電源がＯＮし，逆に，複数の移動部材４０，５０のうちの１つでも作動部材３０をＯＦＦ位置に向けて移動させる方向へ移動したときにはスイッチ２０がＯＦＦしてこのインターロック機構１０の取り付け対象である装置への供給電源がＯＦＦすることとなる（図５（ａ）（ｂ）（ｃ））。
【００２２】
そして，前記複数の移動部材４０，５０の，前記スイッチ２０をＯＮさせる際の移動方向は，全て，前記スイッチ２０の作動子２１のＯＮ方向以外となっているので，移動部材４０，５０を移動させる外力（例えばカバー１，２の開閉による外力）として想定以上の力が作用したとしても，その想定以上の力はスイッチ２０の作動子２１のＯＮ方向へは作用しない。
すなわち，移動部材４０の，前記スイッチ２０をＯＮさせる際の移動方向はＸ２方向（前記スイッチ２０の作動子２１のＯＮ方向であるＸ１方向とは逆方向）となっており，移動部材５０の，前記スイッチ２０をＯＮさせる際の移動方向はＺ１方向（前記スイッチ２０の作動子のＯＮ方向であるＸ１方向と直交方向）となっているので，移動部材４０，５０を移動させる外力（上記Ｘ２方向，Ｚ１方向の外力）として想定以上の力が作用したとしても，その想定以上の力はスイッチ２０の作動子２１のＯＮ方向（Ｘ１方向）へは作用しない。
したがって，スイッチ２０が破損するおそれがなくなる。
以上のようにこの実施の形態によれば，１つのスイッチ２０で複数のカバー１，２の開閉等の複数入力（外力）に対応できると同時に，スイッチ２０の破損のおそれもなくなる。
【００２３】
前記作動部材３０を，前記作動子２１をＯＮ／ＯＦＦ方向へ移動させることが可能なカム部３１を有しかつ前記ＯＮ／ＯＦＦ方向と直交方向（Ｙ１，Ｙ２方向）へ移動可能かつ前記ＯＮ／ＯＦＦ方向（Ｘ１，Ｘ２方向）へ移動可能な作動部材で構成し，前記複数の移動部材４０，５０は，前記作動部材３０を前記ＯＮ／ＯＦＦ方向と直交方向（Ｙ１，Ｙ２方向）へ移動させる第１移動部材４０と，前記ＯＮ／ＯＦＦ方向と直交方向（Ｚ１，Ｚ２方向）へ移動することで前記作動部材３０に当接して当該作動部材３０を前記ＯＮ／ＯＦＦ方向へ移動させる第２移動部材５０で構成することで，２入力（例えば２つのカバー１，２の開閉）に対応したインターロック機構ないし画像形成装置を得ることができた。
【００２４】
図６は，本発明に係るインターロック機構の他の実施の形態を示す部分省略斜視図である。
図７は該インターロック機構を組み込んだ画像形成装置の一実施の形態を示す図で，（ａ）はカバーを閉じた状態の斜視図，（ｂ）はカバーを開けた状態の斜視図，（ｃ）はカバーとフレームとの関係を示す斜視図，（ｄ）はフレームを省略してインターロック機構と開かれたカバーとの関係を示す斜視図，（ｅ）はフレームを省略してインターロック機構と閉じられたカバーとの関係を示す斜視図である。
図８（ｃ１），（ｃ２）は図７（ｃ）の平面図と正面図，（ｄ１），（ｄ２）は図７（ｄ）の平面図と正面図，（ｅ１），（ｅ２）は図７（ｅ）の平面図と正面図である。
図９はインターロック機構の分解斜視図である。
図１０，図１１の各（ａ）〜（ｄ）は作動説明図である。
これらの図において前述した実施の形態と同一または対応する部材ないし部位には同一の符号を付してある。
【００２５】
主として図６に示すように，このインターロック機構１０’が上述したインターロック機構１０と基本的に異なる点は，第１移動部材６０を，２段階で移動する部材とし，２段階目の移動により，作動部材３０のカム部３１がスイッチ２０の作動子２１をＯＮ方向へ移動させることが可能となる構成とした点にある。また，第２移動部材７０の移動方向をＹ１，Ｙ２方向とした点にある。
第１移動部材６０はレバー状の部材であり，このレバー状部材６０の中間部に前記作動部材３０が回動可能に連結され，前記レバー状部材６０の一端部の移動が１段階目の移動であり，当該１段目の移動後の前記レバー状部材６０の他端部の移動が前記２段階目の移動となっている。詳細については，後述する。
【００２６】
図９に示すように，このインターロック機構１０’は，第１ホルダー１５と，第２ホルダー１６と，第３ホルダー１７と，第１ホルダー１５のカバー１８とを有しており，スイッチ２０は，第１ホルダー１５に取り付けられている。なお，図６における第２移動部材７０の縦方向長さと，図７における第２移動部材７０の縦方向長さは異なっているが，その長さは後述する画像形成装置における開閉カバーとの連動関係において適宜設定でき（図６のようにも図７のようにもでき）るもので，基本的動作に変わりはない。
【００２７】
図６，図９，図１０および図１１に示すように，作動部材３０は，スイッチ２０の作動子２１をＯＮ／ＯＦＦ方向（矢印Ｘ１，Ｘ２方向）へ移動させることが可能なカム部３１を有しかつ前記ＯＮ／ＯＦＦ方向と直交方向（矢印Ｙ１，Ｙ２方向）へ移動可能かつ前記ＯＮ／ＯＦＦ方向へ移動可能な作動部材である。
作動部材３０は，軸部３２とこの軸部３２に一体的に垂下された前記カム部３１とを有する振り子状の作動部材であり，軸部３２の両端が，第１ホルダー１５に設けられた縦方向（矢印Ｙ１，Ｙ２方向に伸びる）ガイド溝１５ａと，このガイド溝１５ａに対向してカバー１８に設けられたガイド溝１８ａ（図９参照）に案内されることで矢印Ｙ１，Ｙ２方向へ移動可能となっており，かつ軸部３２を中心として揺動可能（カム部３１が矢印Ｘ１，Ｘ２方向へ移動可能）となっている。
【００２８】
作動部材３０の軸部３２は，第１移動部材６０の中間部にある貫通孔６３に回動可能に挿入されている。したがって，第１移動部材６０と作動部材３０とは軸部３２を中心として相対的に回動可能である。
作動部材３０の下端と第１ホルダー１５と間には引っ張りバネ１３が設けられており，この引っ張りバネ１３の作用で，作動部材３０は常時Ｙ２方向かつＸ２方向へ付勢されているが（図１０（ａ）参照），第１移動部材６０と第２移動部材７０の後述する作動で，Ｙ１方向へ移動可能でありまたＸ２方向へも移動可能である。
【００２９】
第１移動部材６０は，作動部材３０を前記ＯＮ／ＯＦＦ方向と直交方向（Ｙ１，Ｙ２方向）へ移動させる部材であり，前述したように作動部材３０の軸部３２回りに回動可能に連結されたレバー状の部材である。
したがって，第１移動部材６０の一端（両端６１，６２のうちの一方）がＹ１方向へ移動すると，第１移動部材６０は傾斜し，その分（図示のものの場合一端の移動量の半分）だけ作動部材３０がＹ１方向へ移動し（これが１段階目の移動である），その後他端部もＹ１方向へ移動すると，第１移動部材６０は水平状態となり，その分だけ作動部材３０がさらにＹ１方向へ移動することとなる（これが２段階目の移動である）。例えば，図１０（ｂ）または（ｃ）に示す状態が１段階目の移動であり，図１１（ｃ）または（ｄ）に示す状態が２段階目の移動である。
この実施の形態では，後述するように画像形成装置のカバーが閉じられると，そのカバーと連動して第１移動部材６０が上記のように移動する。
【００３０】
移動部材７０（図６，図９〜図１１参照）は，スイッチ２０のＯＮ／ＯＦＦ方向（Ｘ１，Ｘ２方向）と直交方向（Ｙ１，Ｙ２方向）へ移動することで作動部材３０のカム部３１に当接して当該作動部材３０を前記ＯＮ／ＯＦＦ方向へ移動させる第２移動部材である。
図９に示すように，第２移動部材７０は，第１の垂直部７１と，その下端から前方に伸びる第１の水平部７２と，その前端から下方に伸びる第２の垂直部７３と，その下端から水平方向左方に伸びる第２の水平部７４と，その左端前部から下方に伸びるカム部７５とを有している。
【００３１】
この実施の形態のインターロック機構１０’は，図７，図８に示すように，画像形成装置のフレームＦに取り付けられるため，第２移動部材７０における第１の垂直部７１はフレームＦの背面側（画像形成装置内部側）に位置し，第１の水平部７２はフレームＦに設けられた開口（図１５の符号Ｆａ参照）を背面側から正面側へ突出し，それ以降の部分（第２の垂直部７３，第２の水平部７４，カム部７５）はフレームＦの正面側に位置する。
第３ホルダー１７はフレームＦの背面との間に第２移動部材７０における第１の垂直部７１をスライド可能に保持し，これによって，第２移動部材７０はＹ１，Ｙ２方向へスライド可能である。
第１の垂直部７１には長穴７１ａが設けられているとともに，第３ホルダー１７には，長穴７１ａに入り込むトラック状の突起１７ａが設けられている。
したがって，第２移動部材７０は，上記トラック状の突起１７ａが長穴７１ａ内を相対的に移動できる範囲内においてスライド可能である。
第２移動部材７０における第２の垂直部７３と第２の水平部７４との間に設けられたバネ取付部７６と，カバー１８の上縁に設けられたバネ取付部１８ｂとの間には，圧縮バネ７７が装着される。
したがって，第２移動部材７０は，上記圧縮バネ７７の作用で常時上方（Ｙ１方向）に向けて付勢されているが，Ｙ２方向への外力が作用すると，Ｙ２方向へスライドする。
【００３２】
図７，図８に示すように，この実施の形態の画像形成装置は，そのケースにおける３つの面を，それぞれ開閉可能なカバー１，カバー２，カバー３で構成するとともに，画像形成装置内におけるフレームＦに対し，カバー１とカバー２とカバー３との間に位置する部位に，前記インターロック機構１０’を設け，前記第１移動部材６０を，開閉可能なカバー１，カバー２の開閉と連動させ，第２移動部材７０をカバー３の開閉と連動させてある。
【００３３】
カバー１には突起１ａが設けてある。
一方，図９に示すように，第２ホルダー１６とカバー１８との間には，第１レバー８０が回転可能に取り付けられている。
第１レバー８０の軸８１には作動用アーム８２と被作動用アーム８３（図１０参照）とが一体に設けられている。作動用アーム８２は第１ホルダー１５の前面側に位置し，被作動用アーム８３は，第１ホルダー１５に開けられた被作動用アーム８３と相似形の穴１５ｂに挿通されて第１ホルダー１５の背面側に位置する。また，被作動用アーム８３は，開閉カバー１が閉じられる際の突起１ａの回動軌道中に位置する。作動用アーム８２は，図９における矢印ｂ方向から見た断面形状が，同図（ｂ）に示すようなＬ字形であり，その水平部８２ｂの上面が，前述した第１移動部材６０の一端部６１に下方から当接する。
したがって，カバー１が閉じられて，図１０（ｂ）に示すように，カバー１の突起１ａが被作動用アーム８３に当接して第１レバー８０が同図において時計方向へ回転すると，第１移動部材６０の一端部６１が上動し，第１移動部材６０が傾斜して，その分作動部材３０も上動することとなる。
なお，カバー１が開けられると，引っ張りバネ１３の付勢力で作動部材３０および第１移動部材６０が下動し，第１レバー８０は反時計方向に回転して元の位置に戻る。
【００３４】
図７，図８に示すように，カバー２には突起２ａが設けてある。
一方，図９に示すように，第１ホルダー１５とそのカバー１８との間には，第２レバー９０が回転可能に取り付けられている。
第２レバー９０の軸９１には作動用アーム９２と被作動用アーム９３（図１０参照）とが一体に設けられている。作動用アーム９２は第１ホルダー１５の内部に位置し，被作動用アーム９３は，第１ホルダー１５に開けられた穴１５ｃに挿通されて第１ホルダー１５の外部に位置する。また，被作動用アーム９３は，開閉カバー２が閉じられる際の突起２ａの回動軌道中に位置する。作動用アーム９２の上面９２ｂは，前述した第１移動部材６０の他端部６２に当接する。
したがって，カバー２が閉じられて，図１０（ｃ）に示すように，カバー２の突起２ａが被作動用アーム９３に当接して第２レバー９０が同図において反時計方向へ回転すると，第１移動部材６０の他端部６２が上動し，第１移動部材６０が傾斜して，その分作動部材３０も上動することとなる。
なお，カバー２が開けられると，引っ張りバネ１３の付勢力で作動部材３０および第１移動部材６０が下動し，第２レバー９０は時計方向に回転して元の位置に戻る。
【００３５】
図７，図８に示すように，カバー３には突起３ａが設けてある。
一方，図９に示すように，第３ホルダー１７の上部には開口１７ｂが設けられており，この開口１７ｂに下方から第２移動部材７０の頭部７８が臨む。開口１７ｂおよび第２移動部材７０の頭部７８は，開閉カバー３が閉じられる際の突起３ａの回動軌道中に位置する。
したがって，カバー３が閉じられて，図１０（ｄ）に示すように，カバー３の突起３ａが上記開口１７ｂを通じて第２移動部材７０の頭部７８に当接して押し下げると，第２移動部材７０が下動し，そのカム部７５も下動することとなる。
なお，カバー３が開けられると，圧縮バネ７７の付勢力で第２移動部材７０が上動し，そのカム部７５も上動して元の位置に戻る。
【００３６】
以上のようなインターロック機構１０’ないし画像形成装置は次のように作動する。
図１０（ａ）に示すように，インターロック機構１０’に外部からの力が入力されない状態（図７（ｂ）に示すようにカバー１，２，３が開かれた状態）では，上述したように，第１レバー８０，第２レバー９０は第１移動部材６０に作用せず，したがって，第１移動部材６０は引っ張りバネ１３の作用で下動した状態にあり，したがってまた作動部材３０も下動した状態にある。
また，第２移動部材７０は，圧縮バネ７７の作用で上動した状態となっている。この状態では，第２移動部材７０のカム部７５は作動部材３０に作用しないため，作動部材３０は，Ｘ２方向へ移動した状態となっている。
したがって，スイッチ２０の作動子２１はＸ２方向へ突出していてスイッチ２０はＯＦＦ状態となっている。よって，このインターロック機構１０’が装着された装置（この場合画像形成装置）に電源は供給されない。
【００３７】
図１０（ｂ）に示すように，インターロック機構１０’に対し外部から第１レバー８０のみが作動（入力）した状態（カバー１のみが閉じられた状態）では，上述したように，第１移動部材６０が傾斜し，その分だけ作動部材３０は上動するが，この状態では作動部材３０の上動が不十分であり，また，第２移動部材７０は下動していないので，作動部材３０は引っ張りバネ１３の作用でＸ２方向へ移動した状態のままとなっていて，スイッチ２０の作動子２１をＸ１方向（ＯＮ方向）へは移動させない。
したがって，スイッチ２０はＯＦＦ状態のままであり，このインターロック機構１０’が装着された装置（この場合画像形成装置）に電源は供給されない。
【００３８】
図１０（ｃ）に示すように，インターロック機構１０’に対し外部から第２レバー９０のみが作動（入力）した状態（カバー２のみが閉じられた状態）では，上述したように，第１移動部材６０が傾斜し，その分だけ作動部材３０は上動するが，この状態では作動部材３０の上動が不十分であり，また，第２移動部材７０は下動していないので，作動部材３０は引っ張りバネ１３の作用でＸ２方向へ移動した状態のままとなっていて，スイッチ２０の作動子２１をＸ１方向（ＯＮ方向）へは移動させない。
したがって，スイッチ２０はＯＦＦ状態のままであり，このインターロック機構１０’が装着された装置（この場合画像形成装置）に電源は供給されない。
【００３９】
図１０（ｄ）に示すように，インターロック機構１０’に外部から第２移動部材７０のみを作動させる外力のみが入力された状態（カバー３のみが閉じられて突起３ａのみが入力された状態）では，上述したように第２移動部材７０およびそのカム部７５は下動するが，作動部材３０は下動したままであって，第２移動部材７０のカム部７５の作動を受けうる位置にはない。
したがって，作動部材３０はＸ２方向へ移動した状態のままとなっていて，スイッチ２０の作動子２１をＸ１方向（ＯＮ方向）へは移動させないので，スイッチ２０はＯＦＦ状態のままである。よって，このインターロック機構１０’が装着された装置（この場合画像形成装置）に電源は供給されない。
【００４０】
図１１（ａ）に示すように，インターロック機構１０’に対し外部から第１レバー８０と第２移動部材７０が作動（入力）した状態（カバー１とカバー３とが閉じられ，カバー２は開かれた状態）では，上述したように，第１移動部材６０が傾斜し，その分だけ（１段階分だけ）作動部材３０は上動するが，この状態では作動部材３０の上動が不十分（第２移動部材７０のカム部７５の作動を受けうる位置にはない状態）である。したがって，第２移動部材７０が下動しても，作動部材３０は引っ張りバネ１３の作用でＸ２方向へ移動した状態のままとなっていて，スイッチ２０の作動子２１をＸ１方向（ＯＮ方向）へは移動させない。
したがって，スイッチ２０はＯＦＦ状態のままであり，このインターロック機構１０’が装着された装置（この場合画像形成装置）に電源は供給されない。
【００４１】
図１１（ｂ）に示すように，インターロック機構１０’に対し外部から第２レバー９０と第２移動部材７０が作動（入力）した状態（カバー２とカバー３とが閉じられ，カバー１は開かれた状態）では，上述したように，第１移動部材６０が傾斜し，その分だけ（１段階分だけ）作動部材３０は上動するが，この状態では作動部材３０の上動が不十分（第２移動部材７０のカム部７５の作動を受けうる位置にはない状態）である。したがって，第２移動部材７０が下動しても，作動部材３０は引っ張りバネ１３の作用でＸ２方向へ移動した状態のままとなっていて，スイッチ２０の作動子２１をＸ１方向（ＯＮ方向）へは移動させない。
したがって，スイッチ２０はＯＦＦ状態のままであり，このインターロック機構１０’が装着された装置（この場合画像形成装置）に電源は供給されない。
【００４２】
図１１（ｃ）に示すように，インターロック機構１０’に対し外部から第１レバー８０と第２レバー９０とが作動（入力）した状態（カバー１とカバー２とが閉じられ，カバー３は開かれた状態）では，上述したように，第１移動部材６０が２段階で上動し，その分だけ（２段階分だけ）作動部材３０は上動して第２移動部材７０のカム部７５の作動を受けうる位置に達する。
しかしながら，第２移動部材７０は，圧縮バネ７７の作用で上動した位置にあり，第２移動部材７０のカム部７５は作動部材３０に作用しないため，作動部材３０は，Ｘ２方向へ移動した状態となっている。
したがって，スイッチ２０はＯＦＦ状態のままであり，このインターロック機構１０’が装着された装置（この場合画像形成装置）に電源は供給されない。
【００４３】
図１１（ｄ）に示すように，インターロック機構１０’に外部から第１レバー８０，第２レバー９０，および第２移動部材７０がともに作動する（カバー１，カバー２，カバー３がともに閉じられる）と，上述したように，第１移動部材６０が２段階で上動し，その分だけ（２段階分だけ）作動部材３０が上動して第２移動部材７０のカム部７５の作動を受けうる位置に達し，かつ，第２移動部材７０が下動して，第２移動部材７０のカム部７５が作動部材３０に作用する。
このため，作動部材３０がＸ１方向へ移動し，スイッチ２０の作動子２１が連動部材２２を介してＸ１方向（ＯＮ方向）へ押されてスイッチ２０がＯＮする。したがって，このインターロック機構１０’が装着された装置（この場合画像形成装置）に電源が供給される。
なお，カバー１，２，３が閉じられる順番は任意である。
【００４４】
以上のように，この実施の形態のインターロック機構１０’も，複数の移動部材６０，７０の，前記スイッチ２０をＯＮさせる際の移動方向が，全て，前記スイッチの作動子のＯＮ方向以外となっており，
また，この実施の形態の画像形成装置は，画像形成装置のケースにおける複数の面を，それぞれ開閉可能なカバー１，２，３で構成するとともに，画像形成装置内に，上記インターロック機構１０’を設け，前記複数の移動部材６０，７０を，前記開閉可能なカバー１，２，３に連動させてあるので，
このような構成によれば，複数の移動部材６０，７０全てが，作動部材３０を前記ＯＮ位置に向けて移動させる方向へ移動したときに該作動部材３０が前記ＯＮ位置に位置し（図１１（ｄ）参照），スイッチ２０の作動子２１がＯＮ方向へと移動してスイッチ２０がＯＮし，このインターロック機構１０’の取り付け対象である装置への供給電源がＯＮし，逆に，複数の移動部材６０，７０のうちの１つでも作動部材３０をＯＦＦ位置に向けて移動させる方向へ移動したときにはスイッチ２０がＯＦＦしてこのインターロック機構１０’の取り付け対象である装置への供給電源がＯＦＦすることとなる。
そして，前記複数の移動部材６０，７０の，前記スイッチ２０をＯＮさせる際の移動方向は，全て，前記スイッチ２０の作動子のＯＮ方向以外となっているので，移動部材６０，７０を移動させる外力（例えばカバー１，２，３の開閉による外力）として想定以上の力が作用したとしても，その想定以上の力はスイッチ２０の作動子２１のＯＮ方向へは作用しない。
すなわち，移動部材６０の，前記スイッチ２０をＯＮさせる際の移動方向はＹ１方向となっており，移動部材７０の，前記スイッチ２０をＯＮさせる際の移動方向はＹ２方向（前記スイッチ２０の作動子のＯＮ方向であるＸ１方向と直交方向）となっているので，移動部材６０，７０を移動させる外力（上記Ｙ１方向，Ｙ２方向の外力）として想定以上の力が作用したとしても，その想定以上の力はスイッチ２０の作動子２１のＯＮ方向（Ｘ１方向）へは作用しない。
したがって，スイッチ２０が破損するおそれがなくなる。
以上のようにこの実施の形態によれば，１つのスイッチ２０で複数のカバー１，２，３の開閉等の複数入力（外力）に対応できると同時に，スイッチ２０の破損のおそれもなくなる。
【００４５】
また，第１移動部材６０を，２段階で移動する構成とし，２段階目の移動により，作動部材３０のカム部３１がスイッチ２０の作動子２１をＯＮ方向へ移動させることが可能となる構成とすることで，３入力（例えば３つのカバー１，２，３の開閉）に対応したインターロック機構ないし画像形成装置を得ることができた。
さらに，第１移動部材６０はレバー状の部材とし，このレバー状部材６０の中間部に作動部材３０を回動可能に連結し，レバー状部材６０の一端部６１（または６２）の移動を１段階目の移動とし，当該１段目の移動後のレバー状部材６０の他端部６２（または６１）の移動を２段階目の移動とすることで，作動の確実性および円滑性を向上させることが可能となった。
【００４６】
図１２は，本発明に係るインターロック機構の他の実施の形態を示す部分省略斜視図である。
図１３は該インターロック機構を組み込んだ画像形成装置の一実施の形態を示す図で，（ａ）はカバーを閉じた状態の斜視図，（ｂ）はカバーを開けた状態の斜視図，（ｃ）はカバーとフレームとの関係を示す斜視図，（ｄ）はフレームを省略してインターロック機構と開かれたカバーとの関係を示す斜視図，（ｅ）はフレームを省略してインターロック機構と閉じられたカバーとの関係を示す斜視図である。
図１４（ｃ１），（ｃ２）は図１３（ｃ）の平面図と正面図，（ｄ１），（ｄ２）は図１３（ｄ）の平面図と正面図，（ｅ１），（ｅ２）は図１３（ｅ）の平面図と正面図である。
図１５はインターロック機構の分解斜視図である。
図１６〜図１８の各（ａ）〜（ｄ）および図１９（ａ）〜（ｃ）は作動説明図である。
これらの図において図６〜図１１に示した実施の形態と同一または対応する部材ないし部位には同一の符号を付してある。
【００４７】
主として図１２に示すように，このインターロック機構１０’’が上述したインターロック機構１０’と基本的に異なる点は，第２移動部材１３０を，２段階で移動する部材とし，２段階目の移動により，作動部材３０のカム部３１がスイッチ２０の作動子２１をＯＮ方向へ移動させることが可能となる構成とし，４入力に対応させた点にある。
第２移動部材１３０はレバー状部材１６０の中間部に回動可能に連結された，前記作動部材３０と当接可能なカム付の部材であり，前記レバー状部材１６０の一端部の移動によって１段階目の移動をし，当該１段目の移動後の前記レバー状部材１６０の他端部の移動によって前記２段階目の移動をして前記カム１３１が，前記作動部材３０のカム部３１による前記作動子２１を介したスイッチ２０のＯＮ／ＯＦＦを可能とする。
【００４８】
以下，主としてこのインターロック機構１０’’が上述したインターロック機構１０’と異なっている点について説明する。
図１５に示すように，このインターロック機構１０’’は，第１ホルダー１５と，第２ホルダー１６と，第３ホルダー１７と，第１ホルダー１５のカバー１８とを有している。
【００４９】
図１２，図１５〜図１９に示すように，第２移動部材１３０は，軸部１３２とこの軸部１３２の上方に一体的に設けられた前記カム１３１とを有する倒立振子状の部材であり，軸部１３２の両端が，第１ホルダー１５に設けられた縦方向（矢印Ｙ１，Ｙ２方向に伸びる）ガイド溝１５ｄ（図１６（ｂ）参照）と，このガイド溝１５ｄに対向してカバー１８に設けられたガイド溝１８ｄ（図１５参照）に案内されることで矢印Ｙ１，Ｙ２方向へ移動可能となっている。
【００５０】
第２移動部材１３０の軸部１３２は，レバー状部材１６０の中間部にある貫通孔１６３に回動可能に挿入されている。したがって，レバー状部材１６０と第２移動部材１３０とは軸部１３２を中心として相対的に回動可能であるが，第２移動部材１３０は第１ホルダー１５に設けられたガイド１５ｅ（図１５および図１６（ｂ）参照）に案内されて縦方向（矢印Ｙ１，Ｙ２方向）にのみ移動可能となっている。
第２移動部材１３０の上端と第１ホルダー１５と間には引っ張りバネ１１３が設けられており，この引っ張りバネ１１３の作用で，第２移動部材１３０は常時Ｙ１方向へ付勢されているが，レバー状部材１６０と後述する作動部材１７０，１８０等の作動でＹ２方向へ移動可能である。
【００５１】
レバー状部材１６０は，第２移動部材１３０をスイッチ２０のＯＮ／ＯＦＦ方向と直交方向（Ｙ１，Ｙ２方向）へ移動させる部材であり，前述したように第２移動部材１３０の軸部１３２回りに回動可能に連結されている。
したがって，レバー状部材１６０の一端（両端１６１，１６２のうちの一方）がＹ２方向へ移動すると，レバー状部材１６０は傾斜し，その分（図示のものの場合一端の移動量の半分）だけ第２移動部材１３０がＹ２方向へ移動し（これが１段階目の移動である），その後他端部もＹ２方向へ移動すると，レバー状部材１６０は水平状態となり，その分だけ第２移動部材１３０がさらにＹ２方向へ移動することとなる（これが２段階目の移動である）。例えば，図１６（ｄ）に示す状態が１段階目の移動であり，図１７（ｂ）に示す状態が２段階目の移動である。
この実施の形態では，後述するように画像形成装置のカバーが閉じられると，そのカバーと連動してレバー状部材１６０が上記のように移動する。
【００５２】
図１５等において，１７０，１８０はレバー状部材１６０を上記のように移動させるための作動部材であり，１９０は作動部材１７０とレバー状部材１６０の一端１６２とを連動させるための連動レバーである。
【００５３】
作動部材１７０は，前述した移動部材７０とほぼ同様の構成となっており，第１の垂直部１７１と，その下端から前方に伸びる第１の水平部１７２と，その前端から下方に伸びる第２の垂直部１７３と，その下端から水平方向左方に伸びる第２の水平部１７４と，その左端前部から下方に伸びる第３の垂直部１７５とを有している。
【００５４】
この実施の形態のインターロック機構１０’’は，図１３，図１４に示すように，画像形成装置のフレームＦに取り付けられるため，作動部材１７０における第１の垂直部１７１はフレームＦの背面側（画像形成装置内部側）に位置し，第１の水平部１７２はフレームＦに設けられた開口Ｆａを背面側から正面側へ突出し，それ以降の部分（第２の垂直部１７３，第２の水平部１７４，第２の垂直部１７５）はフレームＦの正面側に位置する。
第３ホルダー１７はフレームＦの背面との間に作動部材１７０における第１の垂直部１７１をスライド可能に保持し，これによって，作動部材１７０はＹ１，Ｙ２方向へスライド可能である。
第１の垂直部１７１には長穴１７１ａが設けられているとともに，第３ホルダー１７には，長穴１７１ａに入り込む前述したトラック状の突起１７ａと同様の突起（図示せず）が設けられている。
したがって，作動部材１７０は，上記トラック状の突起が長穴１７１ａ内を相対的に移動できる範囲内においてスライド可能である。
作動部材１７０と第１ホルダー１５との間には，圧縮バネ７７が装着される。
したがって，作動部材１７０は，上記圧縮バネ７７の作用で常時上方（Ｙ１方向）に向けて付勢されているが，Ｙ２方向への外力が作用すると，Ｙ２方向へスライドする。
【００５５】
作動部材１８０は，上記作動部材１７０とほぼ同様の構成となっており，第１の垂直部１８１と，その下端から前方に伸びる第１の水平部１８２と，その前端から下方に伸びる第２の垂直部１８３と，その下端から水平方向左方に伸びる第２の水平部１８４と，その左端から下方に伸びる第３の垂直部１８５とを有している。
【００５６】
この実施の形態のインターロック機構１０’’は，図１３，図１４に示すように，画像形成装置のフレームＦに取り付けられるため，作動部材１８０における第１の垂直部１８１はフレームＦの背面側（画像形成装置内部側）に位置し，第１の水平部１８２はフレームＦに設けられた開口Ｆａを背面側から正面側へ突出し，それ以降の部分（第２の垂直部１８３，第２の水平部１８４，第２の垂直部１８５）はフレームＦの正面側に位置する。
第３ホルダー１７はフレームＦの背面との間に作動部材１８０における第１の垂直部１８１をスライド可能に保持し，これによって，作動部材１８０はＹ１，Ｙ２方向へスライド可能である。
作動部材１８０と第１ホルダー１５との間には，圧縮バネ（図示せず）が装着される。
したがって，作動部材１８０は，上記圧縮バネの作用で常時上方（Ｙ１方向）に向けて付勢されているが，Ｙ２方向への外力が作用すると，Ｙ２方向へスライドする。なお，作動部材１８０のＹ１方向への移動は，後述する連動レバー１８６が第１ホルダー１５の内壁面に当接することで規制される。
作動部材１８０が下動すると，第２の垂直部１８５の下端がレバー状部材１６０の一端１６１に当接してこれを押し下げる（図１７（ａ）参照）。
【００５７】
連動レバー１９０は，第１ホルダー１５とカバー１８との間に回転可能に取り付けられている。
連動レバー１９０は，図１５における矢印ｂ方向から見た断面形状が，同図（ｂ）に示すような逆Ｌ字形であり，その水平部の下面１９１が，前述したレバー状部材１６０の一端部１６２に上方から当接する。また，連動レバー１９０の先端は，下動する作動部材１７０の第２の垂直部１７５の下部と当接する（図１６（ｃ）（ｄ）参照）。
したがって，作動部材１７０が下動して連動レバー１９０が図上時計方向へ回動すると，レバー状部材１６０の一端部１６２が押し下げられることとなる。なお，作動部材１７０の垂直部１７５が直接レバー状部材１６０の一端部１６２に当接してこれを押し下げるように構成することも可能である。
【００５８】
図１３，図１４に示すように，この実施の形態の画像形成装置は，そのケースにおける３つの面を，開閉可能なカバー１，カバー２，カバー３，カバー４で構成するとともに，画像形成装置内におけるフレームＦに対し，カバー１とカバー２とカバー３およびカバー４との間に位置する部位に，前記インターロック機構１０’’を設け，第１移動部材６０を，開閉可能なカバー１，カバー２の開閉と連動させ，第２移動部材１３０をカバー３，カバー４の開閉と連動させてある。
【００５９】
カバー１（突起１ａ），第１レバー８０，カバー２（突起２ａ），第２レバー９０，第１移動部材６０，および作動部材３０の連動関係は前述した実施の形態と同様である。
また，前述した実施の形態同様，図１３，図１４に示すように，カバー３には突起３ａが設けてある一方，図１５に示すように，第３ホルダー１７の上部には開口１７ｂが設けられており，この開口１７ｂに下方から作動部材１７０の頭部１７８が臨む。開口１７ｂおよび作動部材１７０の頭部１７８は，開閉カバー３が閉じられる際の突起３ａの回動軌道中に位置する。
したがって，カバー３が閉じられて，図１６（ｄ）に示すように，カバー３の突起３ａが上記開口１７ｂを通じて作動部材１７０の頭部１７８に当接して押し下げると，作動部材１７０（第２の垂直部１７５）が下動して連動レバー１９０が時計方向へ回動し，レバー状部材１６０の一端１６２が下動することとなる。
なお，カバー３が開けられると，圧縮バネ７７の付勢力で作動部材１７０が上動し，バネ１１３の作用で第２移動部材１３０も上動して元の位置に戻る。
【００６０】
図１３，図１４に示すように，カバー４には突起４ａが設けてある。
一方，図１５に示すように，第３ホルダー１７の上部側面には開口１７ｃが設けられている。また，第３ホルダー１７内には，連動レバー１８６が回動可能に設けられている。
上記開口１７ｃおよび連動レバー１８６は，開閉カバー４が閉じられる際の突起４ａの回動軌道中に位置しているとともに，連動レバー１８６は作動部材１８０の頭部１８７と当接している（図１７参照）。
したがって，カバー４が閉じられて，図１７（ａ）に示すように，カバー４の突起４ａが上記開口１７ｃを通じて連動レバー１８６を回動させると，連動レバー１８６が作動部材１８０を押し下げ，作動部材１８０（第２の垂直部１８５）がレバー状部材１６０の一端１６１を下動させることとなる。
なお，カバー４が開けられると，圧縮バネの付勢力で作動部材１８０が上動し，バネ１１３の作用で第２移動部材１３０も上動して元の位置に戻る。
【００６１】
以上のようなインターロック機構１０’’ないし画像形成装置は次のように作動する。
図１６（ａ）に示すように，インターロック機構１０’’に外部からの力が入力されない状態（図１３（ｂ）に示すようにカバー１，２，３，４が開かれた状態）では，上述したように，第１レバー８０，第２レバー９０は第１移動部材６０に作用せず，したがって，第１移動部材６０は引っ張りバネ１３の作用で下動した状態にあり，したがってまた作動部材３０も下動した状態にある。
また，第２移動部材１３０は，引っ張り１１３の作用で上動した状態となっている。この状態では，第２移動部材１３０のカム１３１は作動部材３０に作用しないため，作動部材３０は，Ｘ２方向へ移動した状態となっている。
したがって，スイッチ２０の作動子２１はＸ２方向へ突出していてスイッチ２０はＯＦＦ状態となっている。よって，このインターロック機構１０’’が装着された装置（この場合画像形成装置）に電源は供給されない。
【００６２】
図１６（ｂ）に示すように，インターロック機構１０’’に対し外部から第１レバー８０のみが作動（入力）した状態（カバー１のみが閉じられた状態）では，上述したように，第１移動部材６０が傾斜し，その分だけ作動部材３０は上動するが，この状態では作動部材３０の上動が不十分であり，また，第２移動部材１３０は下動していないので，作動部材３０は引っ張りバネ１３の作用でＸ２方向へ移動した状態のままとなっていて，スイッチ２０の作動子２１をＸ１方向（ＯＮ方向）へは移動させない。
したがって，スイッチ２０はＯＦＦ状態のままであり，このインターロック機構１０’’が装着された装置（この場合画像形成装置）に電源は供給されない。
【００６３】
図１６（ｃ）に示すように，インターロック機構１０’’に対し外部から第２レバー９０のみが作動（入力）した状態（カバー２のみが閉じられた状態）では，上述したように，第１移動部材６０が傾斜し，その分だけ作動部材３０は上動するが，この状態では作動部材３０の上動が不十分であり，また，第２移動部材１３０は下動していないので，作動部材３０は引っ張りバネ１３の作用でＸ２方向へ移動した状態のままとなっていて，スイッチ２０の作動子２１をＸ１方向（ＯＮ方向）へは移動させない。
したがって，スイッチ２０はＯＦＦ状態のままであり，このインターロック機構１０’’が装着された装置（この場合画像形成装置）に電源は供給されない。
【００６４】
図１６（ｄ）に示すように，インターロック機構１０’’に外部から作動部材１７０のみを作動させる外力のみが入力された状態（カバー３のみが閉じられて突起３ａのみが入力された状態）では，上述したようにレバー状部材１６０が傾斜し第２移動部材１３０およびカム１３１が１段階分下動するが，その下動は不十分でカム１３１が作動部材３０に作動し得ず，また，作動部材３０は下動したままであって，第２移動部材１３０のカム１３１の作動を受けうる位置にはない。
したがって，作動部材３０はＸ２方向へ移動した状態のままとなっていて，スイッチ２０の作動子２１をＸ１方向（ＯＮ方向）へは移動させないので，スイッチ２０はＯＦＦ状態のままである。よって，このインターロック機構１０’’が装着された装置（この場合画像形成装置）に電源は供給されない。
【００６５】
図１７（ａ）に示すように，インターロック機構１０’’に外部から作動部材１８０のみを作動させる外力のみが入力された状態（カバー４のみが閉じられて突起４ａのみが入力された状態）では，上述したようにレバー状部材１６０が傾斜し第２移動部材１３０およびカム１３１が１段階分下動するが，その下動は不十分でカム１３１が作動部材３０に作動し得ず，また，作動部材３０は下動したままであって，第２移動部材１３０のカム１３１の作動を受けうる位置にはない。
したがって，作動部材３０はＸ２方向へ移動した状態のままとなっていて，スイッチ２０の作動子２１をＸ１方向（ＯＮ方向）へは移動させないので，スイッチ２０はＯＦＦ状態のままである。よって，このインターロック機構１０’’が装着された装置（この場合画像形成装置）に電源は供給されない。
【００６６】
図１７（ｂ）に示すように，インターロック機構１０’’に対し外部から第１レバー８０と第２レバー９０とが作動（入力）した状態（カバー１とカバー２とが閉じられ，カバー３，カバー４は開かれた状態）では，上述したように，第１移動部材６０が２段階で上動し，その分だけ（２段階分だけ）作動部材３０は上動して第２移動部材１３０のカム１３１の作動を受けうる位置に達する。
しかしながら，第２移動部材１３０は，引っ張りバネ１１３の作用で上動した位置にあり，第２移動部材１３０のカム１３１は作動部材３０に作用しないため，作動部材３０は，Ｘ２方向へ移動した状態となっている。
したがって，スイッチ２０はＯＦＦ状態のままであり，このインターロック機構１０’’が装着された装置（この場合画像形成装置）に電源は供給されない。
【００６７】
図１７（ｃ）に示すように，インターロック機構１０’’に対し外部から第１レバー８０と作動部材１７０が作動（入力）した状態（カバー１とカバー３とが閉じられ，カバー２，カバー４は開かれた状態）では，上述したように，第１移動部材６０が傾斜し，その分だけ（１段階分だけ）作動部材３０は上動するが，この状態では作動部材３０の上動が不十分（第２移動部材１３０のカム１３１の作動を受けうる位置にはない状態）である。
また，レバー状部材１６０は傾斜し第２移動部材１３０およびカム１３１が１段階分下動するが，その下動は不十分でカム１３１は作動部材３０に作動しない。
したがって，作動部材３０は引っ張りバネ１３の作用でＸ２方向へ移動した状態のままとなっていて，スイッチ２０の作動子２１をＸ１方向（ＯＮ方向）へは移動させない。
したがってまた，スイッチ２０はＯＦＦ状態のままであり，このインターロック機構１０’’が装着された装置（この場合画像形成装置）に電源は供給されない。
【００６８】
図１７（ｄ）に示すように，インターロック機構１０’’に対し外部から第２レバー９０と作動部材１７０が作動（入力）した状態（カバー２とカバー３とが閉じられ，カバー１，カバー４は開かれた状態）では，上述したように，第１移動部材６０が傾斜し，その分だけ（１段階分だけ）作動部材３０は上動するが，この状態では作動部材３０の上動が不十分（第２移動部材１３０のカム１３１の作動を受けうる位置にはない状態）である。
また，レバー状部材１６０は傾斜し第２移動部材１３０およびカム１３１が１段階分下動するが，その下動は不十分でカム１３１は作動部材３０に作用しない。
したがって，作動部材３０は引っ張りバネ１３の作用でＸ２方向へ移動した状態のままとなっていて，スイッチ２０の作動子２１をＸ１方向（ＯＮ方向）へは移動させない。
したがってまた，スイッチ２０はＯＦＦ状態のままであり，このインターロック機構１０’’が装着された装置（この場合画像形成装置）に電源は供給されない。
【００６９】
図１８（ａ）に示すように，インターロック機構１０’’に対し外部から第２レバー９０と作動部材１８０が作動（入力）した状態（カバー２とカバー４とが閉じられ，カバー１，カバー３は開かれた状態）では，上述したように，第１移動部材６０が傾斜し，その分だけ（１段階分だけ）作動部材３０は上動するが，この状態では作動部材３０の上動が不十分（第２移動部材１３０のカム１３１の作動を受けうる位置にはない状態）である。
また，レバー状部材１６０は傾斜し第２移動部材１３０およびカム１３１が１段階分下動するが，その下動は不十分でカム１３１は作動部材３０に作用しない。
したがって，作動部材３０は引っ張りバネ１３の作用でＸ２方向へ移動した状態のままとなっていて，スイッチ２０の作動子２１をＸ１方向（ＯＮ方向）へは移動させない。
したがってまた，スイッチ２０はＯＦＦ状態のままであり，このインターロック機構１０’’が装着された装置（この場合画像形成装置）に電源は供給されない。
【００７０】
図１８（ｂ）に示すように，インターロック機構１０’’に対し外部から作動部材１７０と作動部材１８０とが作動（入力）した状態（カバー３とカバー４とが閉じられ，カバー１とカバー２は開かれた状態）では，上述したように，レバー状部材１６０が２段階で下動し，その分だけ（２段階分だけ）第２移動部材１３０も下動して作動部材３０のカム部３１に作動を及ぼし得る位置に達する。
しかしながら，作動部材３０は，引っ張りバネ１３の作用で下動した位置にあり，第２移動部材１３０のカム１３１は作動部材３０に作用しないため，作動部材３０は，Ｘ２方向へ移動した状態となっている。
したがって，スイッチ２０はＯＦＦ状態のままであり，このインターロック機構１０’’が装着された装置（この場合画像形成装置）に電源は供給されない。
【００７１】
図１８（ｃ）に示すように，インターロック機構１０’’に対し外部から第１レバー８０と第２レバー９０と作動部材１７０とが作動（入力）した状態（カバー１とカバー２とカバー３とが閉じられ，カバー４は開かれた状態）では，上述したように，第１移動部材６０が２段階で上動し，その分だけ（２段階分だけ）作動部材３０は上動して第２移動部材１３０のカム１３１の作動を受けうる位置に達する。
また，レバー状部材１６０が傾斜し第２移動部材１３０およびカム１３１が１段階分下動する。
しかしながら，第２移動部材１３０の下動は不十分でカム１３１が作動部材３０に作動しないため，作動部材３０は，Ｘ２方向へ移動した状態となっている。
したがって，スイッチ２０はＯＦＦ状態のままであり，このインターロック機構１０’’が装着された装置（この場合画像形成装置）に電源は供給されない。
【００７２】
図１８（ｄ）に示すように，インターロック機構１０’’に対し外部から第１レバー８０と第２レバー９０と作動部材１８０とが作動（入力）した状態（カバー１とカバー２とカバー４とが閉じられ，カバー３は開かれた状態）では，上述したように，第１移動部材６０が２段階で上動し，その分だけ（２段階分だけ）作動部材３０は上動して第２移動部材１３０のカム１３１の作動を受けうる位置に達する。
また，レバー状部材１６０が傾斜し第２移動部材１３０およびカム１３１が１段階分下動する。
しかしながら，第２移動部材１３０の下動は不十分でカム１３１が作動部材３０に作動しないため，作動部材３０は，Ｘ２方向へ移動した状態となっている。
したがって，スイッチ２０はＯＦＦ状態のままであり，このインターロック機構１０’’が装着された装置（この場合画像形成装置）に電源は供給されない。
【００７３】
図１９（ａ）に示すように，インターロック機構１０’’に対し外部から第１レバー８０と作動部材１７０と作動部材１８０とが作動（入力）した状態（カバー１とカバー３とカバー４とが閉じられ，カバー２は開かれた状態）では，上述したように，レバー状部材１６０が２段階で下動し，その分だけ（２段階分だけ）第２移動部材１３０も下動して作動部材３０のカム部３１に作動を及ぼし得る位置に達する。
また，第１移動部材６０が傾斜し作動部材３０が１段階分上動する。
しかしながら，作動部材３０の上動は不十分でカム部３１が第２移動部材１３０のカム１３１の作用を受けないため，作動部材３０は，Ｘ２方向へ移動した状態となっている。
したがって，スイッチ２０はＯＦＦ状態のままであり，このインターロック機構１０’’が装着された装置（この場合画像形成装置）に電源は供給されない。
【００７４】
図１９（ｂ）に示すように，インターロック機構１０’’に対し外部から第２レバー９０と作動部材１７０と作動部材１８０とが作動（入力）した状態（カバー２とカバー３とカバー４とが閉じられ，カバー１は開かれた状態）では，上述したように，レバー状部材１６０が２段階で下動し，その分だけ（２段階分だけ）第２移動部材１３０も下動して作動部材３０のカム部３１に作動を及ぼし得る位置に達する。
また，第１移動部材６０が傾斜し作動部材３０が１段階分上動する。
しかしながら，作動部材３０の上動は不十分でカム部３１が第２移動部材１３０のカム１３１の作用を受けないため，作動部材３０は，Ｘ２方向へ移動した状態となっている。
したがって，スイッチ２０はＯＦＦ状態のままであり，このインターロック機構１０’’が装着された装置（この場合画像形成装置）に電源は供給されない。
【００７５】
図１９（ｃ）に示すように，インターロック機構１０’’に外部から第１レバー８０，第２レバー９０，および作動部材１７０，作動部材１８０がともに作動する（カバー１，カバー２，カバー３，カバー４がともに閉じられる）と，上述したように，第１移動部材６０が２段階で上動し，その分だけ（２段階分だけ）作動部材３０が上動して第２移動部材１３０のカム１３１の作動を受けうる位置に達し，かつ，第２移動部材１３０も２段階で下動し，その分だけ（２段階分だけ）カム１３１も下動して，第２移動部材１３０のカム１３１が作動部材３０に作用する。
このため，作動部材３０がＸ１方向へ移動し，スイッチ２０の作動子２１が連動部材２２を介してＸ１方向（ＯＮ方向）へ押されてスイッチ２０がＯＮする。したがって，このインターロック機構１０’’が装着された装置（この場合画像形成装置）に電源が供給される。
なお，カバー１，２，３，４が閉じられる順番は任意である。
【００７６】
以上のように，この実施の形態のインターロック機構１０’’も，複数の移動部材６０，１３０の，前記スイッチ２０をＯＮさせる際の移動方向が，全て，前記スイッチの作動子のＯＮ方向以外となっており，
また，この実施の形態の画像形成装置は，画像形成装置のケースにおける複数の面を，それぞれ開閉可能なカバー１，２，３，４で構成するとともに，画像形成装置内に，上記インターロック機構１０’’を設け，前記複数の移動部材６０，１３０を，前記開閉可能なカバー１，２，３，４に連動させてあるので，
このような構成によれば，複数の移動部材６０，１３０全てが，作動部材３０を前記ＯＮ位置に向けて移動させる方向へ移動したときに該作動部材３０が前記ＯＮ位置に位置し（図１９（ｃ）参照），スイッチ２０の作動子２１がＯＮ方向へと移動してスイッチ２０がＯＮし，このインターロック機構１０’’の取り付け対象である装置への供給電源がＯＮし，逆に，複数の移動部材６０，１３０のうちの１つでも作動部材３０をＯＦＦ位置に向けて移動させる方向へ移動したときにはスイッチ２０がＯＦＦしてこのインターロック機構１０’’の取り付け対象である装置への供給電源がＯＦＦすることとなる。
そして，前記複数の移動部材６０，１３０の，前記スイッチ２０をＯＮさせる際の移動方向は，全て，前記スイッチ２０の作動子のＯＮ方向以外となっているので，移動部材６０，１３０を移動させる外力（例えばカバー１，２，３，４の開閉による外力）として想定以上の力が作用したとしても，その想定以上の力はスイッチ２０の作動子２１のＯＮ方向へは作用しない。
すなわち，移動部材６０の，前記スイッチ２０をＯＮさせる際の移動方向はＹ１方向となっており，移動部材１３０の，前記スイッチ２０をＯＮさせる際の移動方向はＹ２方向（前記スイッチ２０の作動子のＯＮ方向であるＸ１方向と直交方向）となっているので，移動部材６０，１３０を移動させる外力（上記Ｙ１方向，Ｙ２方向の外力）として想定以上の力が作用したとしても，その想定以上の力はスイッチ２０の作動子２１のＯＮ方向（Ｘ１方向）へは作用しない。
したがって，スイッチ２０が破損するおそれがなくなる。
以上のようにこの実施の形態によれば，１つのスイッチ２０で複数のカバー１，２，３，４の開閉等の複数入力（外力）に対応できると同時に，スイッチ２０の破損のおそれもなくなる。
【００７７】
また，前記第２移動部材１３０を，２段階で移動させ，２段階目の移動により，前記作動部材３０のカム部３１がスイッチ２０の作動子２１をＯＮ方向へ移動させることが可能となる構成とすることで，３入力（例えば３つのカバーの開閉）または４入力（例えば４つのカバーの開閉）に対応したインターロック機構ないし画像形成装置を得ることができるようになる。
さらに，第２移動部材１３０はレバー状部材１６０の中間部に回動可能に連結された前記作動部材３０と当接可能なカム１３１付の部材とし，レバー状部材１６０の一端部の移動によって１段階目の移動をさせ，当該１段目の移動後の前記レバー状部材１６０の他端部の移動によって前記２段階目の移動をさせて前記カム１３１を，前記作動部材３０のカム部３１による前記作動子２１を介したスイッチ２０のＯＮ／ＯＦＦを可能とする位置に位置させる構成とすることで，作動の確実性および円滑性を向上させることが可能となった。
【００７８】
以上，本発明の実施の形態について説明したが，本発明は上記の実施の形態に限定されるものではなく，本発明の要旨の範囲内において適宜変形実施可能である。
【図面の簡単な説明】
【００７９】
【図１】本発明に係るインターロック機構の一実施の形態を示す部分省略斜視図。
【図２】インターロック機構を組み込んだ画像形成装置の一実施の形態を示す図で，（ａ）はカバーを閉じた状態の斜視図，（ｂ）はカバーを開けた状態の斜視図，（ｃ）はカバーとフレームとの関係を示す斜視図，（ｄ）はフレームを省略してインターロック機構と開かれたカバーとの関係を示す斜視図，（ｅ）はフレームを省略してインターロック機構と閉じられたカバーとの関係を示す斜視図。
【図３】（ｃ１），（ｃ２）は図２（ｃ）の平面図と正面図，（ｄ１），（ｄ２）は図２（ｄ）の平面図と正面図，（ｅ１），（ｅ２）は図２（ｅ）の平面図と正面図。
【図４】画像形成装置のフレームへのインターロック機構の組み込み状態を示す分解斜視図。
【図５】（ａ）〜（ｄ）は作動説明図である。
【図６】本発明に係るインターロック機構の他の実施の形態を示す部分省略斜視図。
【図７】インターロック機構を組み込んだ画像形成装置の一実施の形態を示す図で，（ａ）はカバーを閉じた状態の斜視図，（ｂ）はカバーを開けた状態の斜視図，（ｃ）はカバーとフレームとの関係を示す斜視図，（ｄ）はフレームを省略してインターロック機構と開かれたカバーとの関係を示す斜視図，（ｅ）はフレームを省略してインターロック機構と閉じられたカバーとの関係を示す斜視図。
【図８】（ｃ１），（ｃ２）は図７（ｃ）の平面図と正面図，（ｄ１），（ｄ２）は図７（ｄ）の平面図と正面図，（ｅ１），（ｅ２）は図７（ｅ）の平面図と正面図。
【図９】インターロック機構の分解斜視図。
【図１０】（ａ）〜（ｄ）は作動説明図。
【図１１】（ａ）〜（ｄ）は作動説明図。
【図１２】本発明に係るインターロック機構の他の実施の形態を示す部分省略斜視図。
【図１３】インターロック機構を組み込んだ画像形成装置の一実施の形態を示す図で，（ａ）はカバーを閉じた状態の斜視図，（ｂ）はカバーを開けた状態の斜視図，（ｃ）はカバーとフレームとの関係を示す斜視図，（ｄ）はフレームを省略してインターロック機構と開かれたカバーとの関係を示す斜視図，（ｅ）はフレームを省略してインターロック機構と閉じられたカバーとの関係を示す斜視図。
【図１４】（ｃ１），（ｃ２）は図１３（ｃ）の平面図と正面図，（ｄ１），（ｄ２）は図１３（ｄ）の平面図と正面図，（ｅ１），（ｅ２）は図１３（ｅ）の平面図と正面図。
【図１５】インターロック機構の分解斜視図。
【図１６】（ａ）〜（ｄ）は作動説明図。
【図１７】（ａ）〜（ｄ）は作動説明図。
【図１８】（ａ）〜（ｄ）は作動説明図。
【図１９】（ａ）〜（ｃ）は作動説明図。
【符号の説明】
【００８０】
１〜４：開閉カバー，１０：インターロック機構，２０：スイッチ，２１：作動子，２２：連動部材，３０：作動部材，４０，５０，６０，１３０：移動部材。
【図１】
2008037054.tif 000003
【図２】
2008037054.tif 000004
【図３】
2008037054.tif 000005
【図４】
2008037054.tif 000006
【図５】
2008037054.tif 000007
【図６】
2008037054.tif 000008
【図７】
2008037054.tif 000009
【図８】
2008037054.tif 000010
【図９】
2008037054.tif 000011
【図１０】
2008037054.tif 000012
【図１１】
2008037054.tif 000013
【図１２】
2008037054.tif 000014
【図１３】
2008037054.tif 000015
【図１４】
2008037054.tif 000016
【図１５】
2008037054.tif 000017
【図１６】
2008037054.tif 000018
【図１７】
2008037054.tif 000019
【図１８】
2008037054.tif 000020
【図１９】
2008037054.tif 000021